(57)【要約】【課題】  簡単な操作で、適切な設定変更を行うことができる表示システムを提供する。【解決手段】  リモコン１から表示装置Ａに対して輝度を変更するためのコマンド１が送信されると、表示装置Ｂは、自装置の輝度値を「１」から「２」へ変更するとともに、他の表示装置の輝度値を「２」に変更するためのコマンド２をリモコン１へ送信する。リモコン１は、コマンド２に基づいて表示装置Ｂおよび表示装置Ｃに対して輝度値をそれぞれ「２」に変更するためのコマンド３を送信する。【選択図】      図３
2012023467.tif 000002
【特許請求の範囲】
【請求項１】
通信可能に接続された複数の表示装置と、表示装置に対して命令情報を入力する遠隔制御装置とを有する表示システムであって、
前記遠隔制御装置は、
ユーザの操作によって命令を入力するための入力手段と、
前記入力手段によって入力された前記命令に基づいて、前記表示装置に送信する第１命令情報を作成する第１作成手段と、
前記表示装置から送信される第２命令情報を受信する遠隔制御装置受信手段と、
前記受信手段が受信した第２命令情報に基づいて、前記第２命令情報を送信した表示装置以外の表示装置の少なくともいずれか１つに送信する第３命令情報を作成する第２作成手段と、
前記第１作成手段が作成した第１命令情報および前記第２作成手段が作成した第３命令情報を前記表示装置に送信する遠隔制御装置送信手段とを備え、
前記表示装置は、
画像を表示する表示手段と、
前記第１命令情報および前記第３命令情報を受信する表示装置受信手段と、
前記表示装置受信手段が受信した前記第１命令情報または前記第３命令情報に基づいて、自装置以外の他の表示装置の少なくともいずれか１つに対する命令を含む前記第２命令情報を作成する表示装置作成手段と、
前記遠隔制御装置に前記第２命令情報を送信する表示装置送信手段とを備えることを特徴とする表示システム。
【請求項２】
前記第１命令情報、前記第２命令情報および前記第３命令情報は、前記表示手段の輝度値を変更する命令を含み、
前記第１命令情報は、前記表示手段の現在の輝度値に対する変化量を指定する第１命令を含み、
前記第２命令情報および前記第３命令情報は、変更後の輝度値が、前記第１命令に従って変更された輝度値と同じ値になるように指定する第２命令および第３命令を含むことを特徴とする請求項１記載の表示システム。
【請求項３】
前記第１命令情報、前記第２命令情報および前記第３命令情報は、前記表示手段の輝度値を変更する命令を含み、
前記第１命令情報は、前記表示手段の現在の輝度値に対する変化量を指定する第１命令を含み、
前記第２命令情報および前記第３命令情報は、前記表示手段の現在の輝度値に対する変化量として、前記第１命令で指定する前記変化量と同じ変化量を指定する第２命令および第３命令をそれぞれ含むことを特徴とする請求項１記載の表示システム。
【請求項４】
前記表示装置は、音声を出力する音声出力手段をさらに備え、
前記第１命令情報、前記第２命令情報および前記第３命令情報は、前記音声出力手段の音量値を変更する命令を含み、
前記第１命令情報は、前記音声出力手段の現在の音量値に対する変化量を指定する第１命令を含み、
前記第２命令情報および前記第３命令情報は、変更後の音量値が、前記第１命令に従って変更された音量値と同じ値になるように指定する第２命令および第３命令を含むことを特徴とする請求項１記載の表示システム。
【請求項５】
前記表示装置は、音声を出力する音声出力手段をさらに備え、
前記第１命令情報、前記第２命令情報および前記第３命令情報は、前記音声出力手段の音量値を変更する命令を含み、
前記第１命令情報は、前記音声出力手段の現在の音量値に対する変化量を指定する第１命令を含み、
前記第２命令情報および前記第３命令情報は、前記音声出力手段の現在の音量値に対する変化量として、前記第１命令で指定する前記変化量と同じ変化量を指定する第２命令および第３命令をそれぞれ含むことを特徴とする請求項１記載の表示システム。
【請求項６】
前記表示装置作成手段は、前記表示装置受信手段が受信した前記第１命令情報に基づいて、自装置以外の他の表示装置であって、複数の表示装置に対する命令情報である前記第２命令情報を作成し、
前記第２作成手段は、前記受信手段が受信した前記第２命令情報に基づいて、前記複数の表示装置に送信する前記第３命令情報を作成することを特徴とする請求項１〜５のいずれか１つに記載の表示システム。
【請求項７】
前記表示装置作成手段は、前記表示装置受信手段が受信した前記第１命令情報に基づいて、自装置以外の他の表示装置であって、１つの表示装置に対する命令情報である前記第２命令情報を作成し、
前記第２作成手段は、前記受信手段が受信した前記第２命令情報に基づいて、前記１つの表示装置に送信する前記第３命令情報を作成し、
前記１つの表示装置が備える前記表示装置作成手段は、前記表示装置受信手段が受信した前記第３命令情報に基づいて、自装置以外の他の表示装置であって、前記１つの表示装置に対する第２命令情報を作成した表示装置とは異なる１つの表示装置に対する命令情報である前記第２命令情報を作成し、
前記第２作成手段は、前記受信手段が受信した前記第２命令情報であって、前記１つの表示装置が備える前記表示装置作成手段が作成した第２命令情報に基づいて、前記１つの表示装置に対する第２命令情報を作成した表示装置とは異なる１つの表示装置に送信する前記第３命令情報を作成することを特徴とする請求項１〜５のいずれか１つに記載の表示システム。
【発明の詳細な説明】
【技術分野】
【０００１】
本発明は、複数の表示装置で構成された表示システムに関する。
【背景技術】
【０００２】
マルチディスプレイシステムまたはテレビ会議システムは、たとえば複数の表示装置を備えた表示システムである。表示装置の設定値のうち、ユーザが調整可能な設定値には、たとえばスピーカの音量、表示画面の輝度などがある。
【０００３】
これらのシステムにおいて、たとえば、各表示装置の設定値の変更を行う場合、変更の対象となる装置に対して設定変更用のコマンドを入力し、表示装置の設定値の変更を行う。
【０００４】
変更の対象となる装置が複数ある場合は、複数の装置に対して、有線接続した入力装置から入力してもよいが、赤外線などを利用した無線通信によって入力する遠隔制御用のコマンド入力装置、いわゆるリモートコントローラを用いるほうが、使い勝手がよい。
【０００５】
ユーザは、表示装置から離れた場所でリモートコントローラを操作して設定値変更用のコマンドを入力するようにすればよい。
【０００６】
ユーザが表示装置を変更しようとするのは、複数の表示装置のうち１つだけ輝度が小さい、音量が小さいなど表示システム全体として統一されていない設定値となっている場合が多い。このとき、ユーザは、設定値が異なっている表示装置に対して、表示システム全体の統一感を得られるように、たとえば他の装置と同じ設定値となるように変更用のコマンドを入力する。
【０００７】
しかしながら、複数の表示装置のうち設定が他の装置と異なっている表示装置を見つけ出してその装置に対して設定変更用のコマンドを入力することは困難である。もし見つけ出せたとしても、どの程度設定値を変更すればよいのかを決定することが困難である。
【０００８】
特許文献１には、コマンドを入力すると、入力コマンドに付随する付随メモリから付随機能を読み出し、機能を選択すればその機能を駆動するとともに、付随する機能も駆動する音響映像機器装置が開示されている。
【０００９】
特許文献２には、キー機能を表わす表示がキートップかキー周辺に施され、１つのキーが押されると、次に押すべきキーが点灯して受付可能となるリモコン装置が開示されている。
【先行技術文献】
【特許文献】
【００１０】
【特許文献１】特開平２−５２６３号公報
【特許文献２】特開平４−２９９６９５号公報
【発明の概要】
【発明が解決しようとする課題】
【００１１】
特許文献１，２に記載の発明を利用したとしても、システムを構成する表示装置のうちのいずれの表示装置に対して調整を行えばいいのか、どのような調整を行えばいいのかがわからず、適切に設定値を調整することができないという問題がある。
【００１２】
また、表示システムを構成する複数の表示装置について設定値の変更を行おうとすると、変更の対象となる表示装置の数と同じ数だけ設定値を変更するための操作が必要となるので、表示装置の数が多くなれば、操作の回数が多くなりユーザの負荷が大きくなるという問題がある。
【００１３】
本発明の目的は、簡単な操作で、適切な設定変更を行うことができる表示システムを提供することである。
【課題を解決するための手段】
【００１４】
本発明は、通信可能に接続された複数の表示装置と、表示装置に対して命令情報を入力する遠隔制御装置とを有する表示システムであって、
前記遠隔制御装置は、
ユーザの操作によって命令を入力するための入力手段と、
前記入力手段によって入力された前記命令に基づいて、前記表示装置に送信する第１命令情報を作成する第１作成手段と、
前記表示装置から送信される第２命令情報を受信する遠隔制御装置受信手段と、
前記受信手段が受信した第２命令情報に基づいて、前記第２命令情報を送信した表示装置以外の表示装置の少なくともいずれか１つに送信する第３命令情報を作成する第２作成手段と、
前記第１作成手段が作成した第１命令情報および前記第２作成手段が作成した第３命令情報を前記表示装置に送信する遠隔制御装置送信手段とを備え、
前記表示装置は、
画像を表示する表示手段と、
前記第１命令情報および前記第３命令情報を受信する表示装置受信手段と、
前記表示装置受信手段が受信した前記第１命令情報または前記第３命令情報に基づいて、自装置以外の他の表示装置の少なくともいずれか１つに対する命令を含む前記第２命令情報を作成する表示装置作成手段と、
前記遠隔制御装置に前記第２命令情報を送信する表示装置送信手段とを備えることを特徴とする表示システムである。
【００１５】
また本発明は、前記第１命令情報、前記第２命令情報および前記第３命令情報は、前記表示手段の輝度値を変更する命令を含み、
前記第１命令情報は、前記表示手段の現在の輝度値に対する変化量を指定する第１命令を含み、
前記第２命令情報および前記第３命令情報は、変更後の輝度値が、前記第１命令に従って変更された輝度値と同じ値になるように指定する第２命令および第３命令を含むことを特徴とする。
【００１６】
また本発明は、前記第１命令情報、前記第２命令情報および前記第３命令情報は、前記表示手段の輝度値を変更する命令を含み、
前記第１命令情報は、前記表示手段の現在の輝度値に対する変化量を指定する第１命令を含み、
前記第２命令情報および前記第３命令情報は、前記表示手段の現在の輝度値に対する変化量として、前記第１命令で指定する前記変化量と同じ変化量を指定する第２命令および第３命令をそれぞれ含むことを特徴とする。
【００１７】
また本発明は、前記表示装置は、音声を出力する音声出力手段をさらに備え、
前記第１命令情報、前記第２命令情報および前記第３命令情報は、前記音声出力手段の音量値を変更する命令を含み、
前記第１命令情報は、前記音声出力手段の現在の音量値に対する変化量を指定する第１命令を含み、
前記第２命令情報および前記第３命令情報は、変更後の音量値が、前記第１命令に従って変更された音量値と同じ値になるように指定する第２命令および第３命令を含むことを特徴とする。
【００１８】
また本発明は、前記表示装置は、音声を出力する音声出力手段をさらに備え、
前記第１命令情報、前記第２命令情報および前記第３命令情報は、前記音声出力手段の音量値を変更する命令を含み、
前記第１命令情報は、前記音声出力手段の現在の音量値に対する変化量を指定する第１命令を含み、
前記第２命令情報および前記第３命令情報は、前記音声出力手段の現在の音量値に対する変化量として、前記第１命令で指定する前記変化量と同じ変化量を指定する第２命令および第３命令をそれぞれ含むことを特徴とする。
【００１９】
また本発明は、前記表示装置作成手段は、前記表示装置受信手段が受信した前記第１命令情報に基づいて、自装置以外の他の表示装置であって、複数の表示装置に対する命令情報である前記第２命令情報を作成し、
前記第２作成手段は、前記受信手段が受信した前記第２命令情報に基づいて、前記複数の表示装置に送信する前記第３命令情報を作成することを特徴とする。
【００２０】
また本発明は、前記表示装置作成手段は、前記表示装置受信手段が受信した前記第１命令情報に基づいて、自装置以外の他の表示装置であって、１つの表示装置に対する命令情報である前記第２命令情報を作成し、
前記第２作成手段は、前記受信手段が受信した前記第２命令情報に基づいて、前記１つの表示装置に送信する前記第３命令情報を作成し、
前記１つの表示装置が備える前記表示装置作成手段は、前記表示装置受信手段が受信した前記第３命令情報に基づいて、自装置以外の他の表示装置であって、前記１つの表示装置に対する第２命令情報を作成した表示装置とは異なる１つの表示装置に対する命令情報である前記第２命令情報を作成し、
前記第２作成手段は、前記受信手段が受信した前記第２命令情報であって、前記１つの表示装置が備える前記表示装置作成手段が作成した第２命令情報に基づいて、前記１つの表示装置に対する第２命令情報を作成した表示装置とは異なる１つの表示装置に送信する前記第３命令情報を作成することを特徴とする。
【発明の効果】
【００２１】
本発明によれば、前記遠隔制御装置では、ユーザが入力手段を操作することによって命令が入力されると、第１作成手段は、入力された前記命令に基づいて、前記表示装置に送信する第１命令情報を作成する。遠隔制御装置送信手段は、前記第１作成手段が作成した第１命令情報を前記表示装置に送信する。
【００２２】
前記表示装置では、表示装置受信手段が前記第１命令情報を受信すると、表示装置作成手段が、受信した前記第１命令情報に基づいて、自装置以外の他の表示装置の少なくともいずれか１つに対する命令情報である第２命令情報を作成する。表示装置送信手段は、前記遠隔制御装置に前記第２命令情報を送信する。
【００２３】
前記遠隔制御装置では、遠隔制御装置受信手段が、前記表示装置から送信される第２命令情報を受信し、第２作成手段が、第２命令情報に基づいて、前記第２命令情報を送信した表示装置以外の表示装置の少なくともいずれか１つに送信する第３命令情報を作成する。遠隔制御装置送信手段は、前記第２作成手段が作成した第３命令情報を前記表示装置に送信する。
【００２４】
ユーザの操作によって第１命令情報が作成されると、その後に作成される第２命令情報および第３命令情報は、ユーザの操作によらず作成される。
【００２５】
したがって、ユーザは、複数の表示装置に対して命令情報を入力する必要があっても、第１命令情報を作成するための命令を入力する操作を行うだけでよいので、簡単な操作で、複数の表示装置の設定変更を行うことができる。また、他の表示装置に対する命令情報は、遠隔制御装置から命令情報を受信した表示装置が作成する命令情報に含まれる命令に基づいて作成されるので、ユーザが他の表示装置に対する命令の具体的な内容を決定する必要がないので、適切な設定変更を行うことができる。
【００２６】
また本発明によれば、前記第１命令情報は、前記表示手段の現在の輝度値に対する変化量を指定する第１命令を含み、前記第２命令情報および前記第３命令情報は、変更後の輝度値が、前記第１命令に従って変更された輝度値と同じ値になるように指定する第２命令および第３命令を含む。
【００２７】
これにより、遠隔制御装置によって、表示手段の輝度値の設定変更を行うことができる。詳細には、ユーザの操作によって、１つの表示装置に、現在の輝度値に対する変化量が指定されると、他の表示装置は、その表示装置の変更後の輝度値と同じ輝度値に設定される。
【００２８】
このように、簡単な操作で、複数の表示手段の輝度値を同じ値に設定することができる。
【００２９】
また本発明によれば、前記第１命令情報は、前記表示手段の現在の輝度値に対する変化量を指定する第１命令を含み、前記第２命令情報および前記第３命令情報は、前記表示手段の現在の輝度値に対する変化量として、前記第１命令で指定する前記変化量と同じ変化量を指定する第２命令および第３命令を含む。
【００３０】
これにより、遠隔制御装置によって、表示手段の輝度値の設定変更を行うことができる。詳細には、ユーザの操作によって、１つの表示装置に、現在の輝度値に対する変化量が指定されると、他の表示装置は、その表示装置の変化量と同じ変化量で変更される。
【００３１】
このように、簡単な操作で、複数の表示手段の輝度値を同じ変化量で変更することができる。
【００３２】
また本発明によれば、前記第１命令情報は、音声出力手段の現在の音量値に対する変化量を指定する第１命令を含み、前記第２命令情報および前記第３命令情報は、変更後の音量値が、前記第１命令に従って変更された音量値と同じ値になるように指定する第２命令および第３命令を含む。
【００３３】
これにより、遠隔制御装置によって、音声出力手段の音量値の設定変更を行うことができる。詳細には、ユーザの操作によって、１つの表示装置に、現在の音量値に対する変化量が指定されると、他の表示装置は、その表示装置の変更後の音量値と同じ音量値に設定される。
【００３４】
このように、簡単な操作で、複数の音声出力手段の音量値を同じ値に設定することができる。
【００３５】
また本発明によれば、前記第１命令情報は、音声出力手段の現在の音量値に対する変化量を指定する第１命令を含み、前記第２命令情報および前記第３命令情報は、前記音声出力手段の現在の音量値に対する変化量として、前記第１命令で指定する前記変化量と同じ変化量を指定する第２命令および第３命令を含む。
【００３６】
これにより、遠隔制御装置によって、音声出力手段の音量値の設定変更を行うことができる。詳細には、ユーザの操作によって、１つの表示装置に、現在の音量値に対する変化量が指定されると、他の表示装置は、その表示装置の変化量と同じ変化量で変更される。
【００３７】
このように、簡単な操作で、複数の音声出力手段の音量値を同じ変化量で変更することができる。
【００３８】
また本発明によれば、前記表示装置作成手段は、前記表示装置受信手段が受信した前記第１命令情報に基づいて、自装置以外の他の表示装置であって、複数の表示装置に対する命令情報である前記第２命令情報を作成する。前記第２作成手段は、前記受信手段が受信した前記第２命令情報に基づいて、前記複数の表示装置に送信する前記第３命令情報を作成する。
【００３９】
これにより、遠隔制御装置は、複数の表示装置に対して同時に命令情報を送信することができる。
【００４０】
また本発明によれば、前記表示装置作成手段は、前記表示装置受信手段が受信した前記第１命令情報に基づいて、自装置以外の他の表示装置であって、１つの表示装置に対する命令情報である前記第２命令情報を作成する。前記第２作成手段は、前記受信手段が受信した前記第２命令情報に基づいて、前記１つの表示装置に送信する前記第３命令情報を作成する。
【００４１】
前記１つの表示装置が備える前記表示装置作成手段は、前記表示装置受信手段が受信した前記第３命令情報に基づいて、自装置以外の他の表示装置であって、前記１つの表示装置に対する第２命令情報を作成した表示装置とは異なる１つの表示装置に対する命令情報である前記第２命令情報を作成する。
【００４２】
前記第２作成手段は、前記受信手段が受信した前記第２命令情報であって、前記１つの表示装置が備える前記表示装置作成手段が作成した第２命令情報に基づいて、前記１つの表示装置に対する第２命令情報を作成した表示装置とは異なる１つの表示装置に送信する前記第３命令情報を作成する。
【００４３】
要するに、命令情報を受信した表示装置は、自装置以外の別の表示装置に対する命令を含む命令情報を作成して遠隔制御装置に送信し、遠隔制御装置は、受信した命令情報に基づいて、前記別の表示装置に命令情報を送信し、これを順次繰り返し行うことで、複数の表示装置の設定変更を行うことができる。
【図面の簡単な説明】
【００４４】
【図１】リモコン１の構成を示すブロック図である。
【図２】表示装置８の構成を示すブロック図である。
【図３】表示システム１００の第１動作例を表わす模式図である。
【図４】第１動作例を実行するときの表示システム１００の全体フローを示す図である。
【図５】表示システム１００の第２動作例を表わす模式図である。
【図６】第２動作例を実行するときの表示システム１００の全体フローを示す図である。
【図７】表示システム１００の第３動作例を表わす模式図である。
【図８】第３動作例を実行するときの表示システム１００の全体フローを示す図である。
【図９】表示システム２００の第１動作例を表わす模式図である。
【図１０】情報処理装置１３の構成を示すブロック図である。
【図１１】第１動作例を実行するときの表示システム２００の全体フローを示す図である。
【図１２】各装置の機能５１と、その機能を示す機能コード５２との対応関係表５０を示す図である。
【図１３】各装置名６１と、その装置を示す機器コード６２との対応関係表６０を示す図である。
【図１４】処理テーブルフォーマット２０およびコマンドフォーマット３０を示す図である。
【図１５】表示システム１００の第１動作例における処理テーブルおよびコマンドの具体例を示す図である。
【図１６】表示システム１００の第２動作例における処理テーブルおよびコマンドの具体例を示す図である。
【図１７】表示システム１００の第３動作例における処理テーブルおよびコマンドの具体例を示す図である。
【図１８】表示システム２００の第１動作例における処理テーブルおよびコマンドの具体例を示す図である。
【図１９】リモコン１の設定値変更処理を示すフローチャートである。
【図２０Ａ】表示装置８の設定値変更処理を示すフローチャートである。
【図２０Ｂ】表示装置８の設定値変更処理を示すフローチャートである。
【発明を実施するための形態】
【００４５】
本発明の表示システムは、複数の表示装置で構成され、たとえばマルチディスプレイシステムで実現される。マルチディスプレイシステムは、複数の表示装置を一列状、マトリクス状などに配置し、１つの画像を分割して表示したり、それぞれの表示装置に表示される画像を連動させたりすることで様々な表示態様に適用可能とする表示システムである。
【００４６】
表示システムの各表示装置は、画面表示設定、音声出力設定などを個別に設定することが可能に構成されている。画面表示設定であれば、画面の輝度の変更、表示色の変更などを設定することが可能であり、音声出力設定であれば、音量の変更、主音声・副音声の変更などを設定することが可能である。これらの設定は、たとえば遠隔制御装置であるリモートコントローラ（以下では単に「リモコン」と略称する。）から無線通信または有線通信によって、設定を変更するための命令情報が送信され、表示装置がこれを受信し、受信した命令情報に従って行われる。
【００４７】
表示システムは、同じ仕様の表示装置によって構成される場合が多く、上記のような設定に必要な命令情報の入力は、１つのリモコンで複数の表示装置に対応することが可能である。表示システムは、上記のように様々な表示態様に適用可能とするため、複数の表示装置を一体的に動作させる必要がある。したがって、表示システムを構成する表示装置について設定の変更を行う場合には、全ての表示装置に対して設定変更を行う可能性が高い。設定の変更、すなわち命令情報の送信は、リモコンを操作することによって行われるので、１つの表示装置に対して１回のリモコン操作を行うと、表示システムに対する１度の設定変更において、表示装置の数と同数のリモコン操作が必要となる。また、表示システムの設定変更としては、システム全体に統一感を持たせるために、現在の設定値からの変更値（以下では「設定差分値」ということがある。）を全ての表示装置について同じとするか、変更後の設定値（以下では「設定絶対値」ということがある。）を全ての表示装置について同じとするかが必要となる。
【００４８】
本発明のような表示システムの設定を変更しようとすると、リモコンの操作回数が多くなり、さらに設定値を特定の値に変更しなければならないので、困難な作業となる。
【００４９】
本発明は、リモコンの操作回数を少なく、たとえば１回の操作で全ての表示装置の設定変更が可能であり、容易に設定値の変更を行うことができる。まず、リモコンから表示システムを構成する表示装置のいずれか１つの表示装置に対して設定変更のための命令情報が送信されると、これを受信した表示装置は、自装置に対する命令情報を実行するとともに、予め記憶されている他装置情報および設定値情報をリモコンに対して送信する。リモコンはこれらの情報を受信し、受信した情報に基づいて他の表示装置に命令情報を送信する。この場合の命令情報の送信は、リモコン操作を必要としない。
【００５０】
以下では、本発明の実施形態である表示システムを構成する表示装置およびリモコンについて詳細に説明する。
【００５１】
図１は、リモコン１の構成を示すブロック図である。リモコン１は、キーボード部２、制御部３、記憶部４および無線通信部５を備え、さらにリモコン１を駆動するための電力源として電源（バッテリ、乾電池など）６および時計部７を備える。
【００５２】
キーボード部２は、表示装置の電源をオンまたはオフするときに押下する電源キー２ａ、表示装置の出力音量をオンするときに押下する音量ＯＮキー２ｂ、表示装置の出力音量をオフするときに押下する音量ＯＦＦキー２ｃ、表示装置の出力音量の設定値を現在の値から１単位大きくするときに押下する音量大キー２ｄ、表示装置の出力音量の設定値を現在の値から１単位小さくするときに押下する音量小キー２ｅ、表示装置の画面輝度の設定値を現在の値から１単位大きくするときに押下する輝度大キー２ｆ、表示装置の画面輝度の設定値を現在の値から１単位小さくするときに押下する輝度小キー２ｇ、表示装置のバックライトを点灯させるときに押下するバックライトＯＮキー２ｈおよび表示装置のバックライトを消灯させるときに押下するバックライトＯＦＦキー２ｉを含む。キーボード部２は、これらのキーの他に、表示装置の動作を制御するために必要なキー、たとえば設定画面を表示させるためのメニューキー、数字やアルファベットなどを含む文字を入力するための文字キー、画面表示されるカーソルや反転表示箇所などの位置を変更するための４方向カーソルキーなどを含む入力手段である。
【００５３】
制御部３は、リモコン１全体の動作制御を行い、本発明特有の構成として、表示装置から送信される命令情報（以下では単に「コマンド」ということがある。）の受信を監視するコマンド受信監視部３ａ、受信したコマンドから機器コードおよび機能コードを判断するコマンド判断部３ｂおよび他の装置に送信するコマンドを生成する第１作成手段、第２作成手段であるコマンド生成部３ｃを含む。
【００５４】
記憶部４は、各種プログラム、各種設定値、動作に必要な情報を一時的または永続的に記憶する。記憶部４に記憶されるプログラムとしては、たとえばリモコン１の全体動作を制御するための制御プログラム４ａ、受信したコマンドから機能コードを抽出するための機能コード抽出処理プログラム４ｂ、受信したコマンドから機器コードを抽出するための機器コード抽出処理プログラム４ｃ、機能コードおよび機器コードから、表示装置に送信するコマンドを生成するコマンド生成プログラム４ｄなどがある。
【００５５】
無線通信部５は、遠隔制御装置受信手段である受信部５ａおよび遠隔制御装置送信手段である送信部５ｂを含み、表示装置と無線接続によりデータ通信する。受信部５ａは、表示装置から送信されるコマンドを受信する。送信部５ｂは、表示装置へコマンドを送信する。無線通信部５は、たとえば赤外線を信号伝達媒体とする無線通信方式によりデータ通信を行う。
【００５６】
図２は、表示装置８の構成を示すブロック図である。表示装置８は、制御部９、記憶部１０、表示部１１および無線通信部１２を備える。
【００５７】
制御部９は、表示装置８全体の動作制御を行い、入力される画像データに基づく画像を表示部１１に表示させる。制御部９は、本発明特有の構成として、リモコン１から送信されるコマンドの受信を監視するコマンド受信監視部９ａ、受信したコマンドから機器コードおよび機能コードを判断するコマンド判断部９ｂ、リモコン１に送信するコマンドを生成する表示装置作成手段であるコマンド生成部９ｃ、表示部１１の画面輝度の現在設定値を取得する輝度値取得部９ｄ、出力音量の現在設定値を取得する音量値取得部９ｅ、受信したコマンドに含まれる送信先機器コードと自装置の機器コードとを比較する機器コード比較部９ｆ、受信したコマンドに含まれる機能コードを分析する機能コード分析部９ｇ、送信する機器コードを判断し、送信機能コードを抽出する送信機器コード抽出・判断部９ｈおよび送信先機器コードを抽出する送信先機器コード抽出部９ｉを有する。
【００５８】
記憶部１０は、各種プログラム、各種設定値、動作に必要な情報を一時的または永続的に記憶する。記憶部１０に記憶されるプログラムとしては、たとえば表示装置８の全体動作を制御するための制御プログラム１０ｃ、受信したコマンドから機能コードを抽出するための機能コード抽出処理プログラム１０ｄ、受信したコマンドから機器コードを抽出するための機器コード抽出処理プログラム１０ｅ、機能コードおよび機器コードから、リモコン１に送信するコマンドを生成するコマンド生成プログラム１０ｆ、後述の処理テーブルを検索する処理テーブル検索プログラム１０ｇなどがある。また、記憶部１０は、他の装置と識別可能なように自装置に割り当てられた機器コード１０ａと、受信したコマンドに対応して次に行う処理を記述した処理テーブル１０ｂを記憶する。
【００５９】
表示部１１は、液晶表示パネル、プラズマ表示パネルなどの画像表示パネルで実現され、制御部９の制御内容に従って、画像を表示する。表示部１１は、音声出力部であるスピーカ１１ａを有する。表示部１１に表示する画像データおよびスピーカ１１ａから出力する音声データは、図示しない入力コネクタを介して外部から入力される。
【００６０】
無線通信部１２は、表示装置受信手段である受信部１２ａおよび表示装置送信手段である送信部１２ｂを含み、リモコン１と無線接続によりデータ通信する。受信部１２ａは、リモコン１から送信されるコマンドを受信する。送信部１２ｂは、リモコン１へコマンドを送信する。無線通信部１２は、たとえば赤外線を信号伝達媒体とする無線通信方式によりデータ通信を行う。
【００６１】
図３は、表示システム１００の第１動作例を表わす模式図である。図４は、第１動作例を実行するときの表示システム１００の全体フローを示す図である。
【００６２】
第１動作例は、表示部１１の輝度調整を行う場合を例としている。表示システム１００は、リモコン１と表示装置８とで構成され、本実施形態では１つのリモコンと３台の表示装置Ａ，Ｂ，Ｃで構成されている。表示装置Ａ，Ｂ，Ｃの輝度の現在の設定値はいずれも「１」である。
【００６３】
まず、リモコン１がユーザによって操作され、リモコン１から表示装置Ａに対して表示部１１の画面輝度の設定値を現在値から１単位大きくするコマンド（コマンド１）を送信する。表示装置Ａは、コマンド１を受信し、その内容に従って画面輝度の設定値を現在値の「１」から１単位大きくして「２」に変更するとともに、処理テーブルの記述に基づいて、自装置以外の他の装置の設定値の変更内容を含むコマンド（コマンド２）を作成してリモコン１へと送信する。図３に示した例では、表示装置Ａから送信されるコマンド２には、表示装置Ｂおよび表示装置Ｃの設定値の変更内容が含まれている。また、変更内容は、画面輝度の設定値を「２」に設定するというものである。
【００６４】
リモコン１は、表示装置Ａからコマンド２を受信すると、その内容に従って表示装置Ｂおよび表示装置Ｃに対して、画面輝度の設定値を「２」に設定するコマンド３を送信する。表示装置Ｂおよび表示装置Ｃは、コマンド３を受信すると、その内容に従って画面輝度の設定値を「２」に設定する。
【００６５】
コマンド３は、リモコン１がユーザによって操作されなくても表示装置Ａからコマンド１を受信したことを条件として送信される。したがって、表示システム１００を構成する全ての表示装置Ａ，Ｂ，Ｃについて画面輝度を変更するためにリモコン１を操作する回数は、最初の１回だけで済むことになる。さらに、表示装置Ｂ，Ｃの変更内容は、表示システム全体としての統一感が保持されるように、表示装置Ａによって決定される。第１動作例では、表示装置Ｂ，Ｃの変更後の設定値が、表示装置Ａの変更後の設定値と同じとなるように決定される。
【００６６】
図５は、表示システム１００の第２動作例を表わす模式図である。図６は、第２動作例を実行するときの表示システム１００の全体フローを示す図である。
【００６７】
第２動作例は、表示部１１の輝度調整を行う場合を例としている。表示システム１００は、リモコン１と表示装置８とで構成され、本実施形態では１つのリモコンと３台の表示装置Ａ，Ｂ，Ｃで構成されている。表示装置Ａ，Ｂ，Ｃの輝度の現在の設定値はいずれも「１」である。
【００６８】
まず、リモコン１がユーザによって操作され、リモコン１から表示装置Ａに対して表示部１１の画面輝度の設定値を現在値から１単位大きくするコマンド（コマンド１）を送信する。表示装置Ａは、コマンド１を受信し、その内容に従って画面輝度の設定値を現在値の「１」から１単位大きくして「２」に変更するとともに、処理テーブルの記述に基づいて、表示装置Ｂの設定値の変更内容を含むコマンド（コマンド２）を作成してリモコン１へと送信する。図５に示した例では、表示装置Ａから送信されるコマンド２には、表示装置Ｂの設定値の変更内容が含まれている。また、変更内容は、画面輝度の設定値を「２」に設定するというものである。
【００６９】
リモコン１は、表示装置Ａからコマンド２を受信すると、その内容に従って表示装置Ｂに対して、画面輝度の設定値を「２」に設定するコマンド３を送信する。表示装置Ｂは、コマンド３を受信し、その内容に従って画面輝度の設定値を現在値の「１」から１単位大きくして「２」に変更するとともに、処理テーブルの記述に基づいて、表示装置Ｃの設定値の変更内容を含むコマンド（コマンド４）を作成してリモコン１へと送信する。図５に示した例では、表示装置Ｂから送信されるコマンド４には、表示装置Ｃの設定値の変更内容が含まれている。また、変更内容は、画面輝度の設定値を「２」に設定するというものである。リモコン１は、表示装置Ｂからコマンド４を受信すると、その内容に従って表示装置Ｃに対して、画面輝度の設定値を「２」に設定するコマンド５を送信する。表示装置Ｃは、コマンド５を受信すると、その内容に従って画面輝度の設定値を「２」に設定する。
【００７０】
リモコン１から送信されるコマンド３およびコマンド５は、リモコン１がユーザによって操作されなくても表示装置Ａからコマンド２を受信したことを条件としてコマンド３が送信され、表示装置Ｂからコマンド４を受信したことを条件としてコマンド５が送信される。したがって、表示システム１００を構成する全ての表示装置Ａ，Ｂ，Ｃについて画面輝度を変更するためにリモコン１を操作する回数は、最初の１回だけで済むことになる。さらに、表示装置Ｂの変更内容および表示装置Ｃの変更内容は、表示システム全体としての統一感が保持されるように、表示装置Ａおよび表示装置Ｂによってそれぞれ決定される。第２動作例では、表示装置Ｂ，Ｃの変更後の設定値が、表示装置Ａの変更後の設定値と同じとなるように決定される。
【００７１】
図７は、表示システム１００の第３動作例を表わす模式図である。図８は、第３動作例を実行するときの表示システム１００の全体フローを示す図である。
【００７２】
第３動作例は、表示装置の音声出力部（スピーカ）などの出力音量調整を行う場合を例としている。表示システム１００は、リモコン１と表示装置８とで構成され、本実施形態では１つのリモコンと３台の表示装置Ａ，Ｂ，Ｃで構成されている。表示装置Ａ，Ｂ，Ｃの音量の現在の設定値はいずれも「２」である。
【００７３】
まず、リモコン１がユーザによって操作され、リモコン１から表示装置Ａに対して出力音量の設定値を現在値から１単位大きくするコマンド（コマンド１）を送信する。表示装置Ａは、コマンド１を受信し、その内容に従って出力音量の設定値を現在値の「２」から１単位大きくして「３」に変更するとともに、処理テーブルの記述に基づいて、表示装置Ｃの設定値の変更内容を含むコマンド（コマンド２）を作成してリモコン１へと送信する。図７に示した例では、表示装置Ａから送信されるコマンド２には、表示装置Ｃの設定値の変更内容が含まれている。また、変更内容は、出力音量の設定値を「３」に設定するというものである。
【００７４】
リモコン１は、表示装置Ａからコマンド２を受信すると、その内容に従って表示装置Ｃに対して、出力音量の設定値を「３」に設定するコマンド３を送信する。表示装置Ｃは、コマンド３を受信すると、その内容に従って出力音量の設定値を「３」に設定する。
【００７５】
コマンド３は、リモコン１がユーザによって操作されなくても表示装置Ａからコマンド１を受信したことを条件として送信される。したがって、ユーザが、表示装置Ａ，Ｃについて出力音量を変更するためにリモコン１を操作する回数は、最初の１回だけで済むことになる。さらに、表示装置Ｃの変更内容は、表示システム全体としての統一感が保持されるように、表示装置Ａによって決定される。第３動作例では、表示装置Ｃの変更後の設定値が、表示装置Ａの変更後の設定値と同じとなるように決定される。
【００７６】
図９は、表示システム２００の第１動作例を表わす模式図である。図１０は、情報処理装置１３の構成を示すブロック図である。図１１は、第１動作例を実行するときの表示システム２００の全体フローを示す図である。
【００７７】
情報処理装置１３は、制御部１４、記憶部１５、無線通信部１６、通信部１７およびスピーカ１８を備える。
【００７８】
制御部１４は、情報処理装置１３全体の動作制御を行う。制御部１４は、本発明特有の構成として、リモコン１から送信されるコマンドの受信を監視するコマンド受信監視部１４ａ、受信したコマンドから機器コードおよび機能コードを判断するコマンド判断部１４ｂ、リモコン１に送信するコマンドを生成するコマンド生成部１４ｃ、電話回線の接続制御および電話回線を通じた画像データおよび音声データの送受信制御などを行うテレビ会議制御部１４ｄ、出力音量の現在設定値を取得する音量値取得部１４ｅ、受信したコマンドに含まれる送信先機器コードと自装置の機器コードとを比較する機器コード比較部１４ｆ、受信したコマンドに含まれる機能コードを分析する機能コード分析部１４ｇ、送信する機器コードを判断し、送信機能コードを抽出する送信機器コード抽出、判断部１４ｈおよび送信先機器コードを抽出する送信先機器コード抽出部１４ｉを有する。
【００７９】
記憶部１５は、各種プログラム、各種設定値、動作に必要な情報を一時的または永続的に記憶する。記憶部１５に記憶されるプログラムとしては、たとえば情報処理装置１３の全体動作を制御するための制御プログラム１５ｃ、受信したコマンドから機能コードを抽出するための機能コード抽出処理プログラム１５ｄ、受信したコマンドから機器コードを抽出するための機器コード抽出処理プログラム１５ｅ、機能コードおよび機器コードから、リモコン１に送信するコマンドを生成するコマンド生成プログラム１５ｆ、後述の処理テーブルを検索する処理テーブル検索プログラム１５ｇなどがある。また、記憶部１５は、他の装置と識別可能なように自装置に割り当てられた機器コード１５ａと、受信したコマンドに対応して次に行う処理を記述した処理テーブル１５ｂを記憶する。
【００８０】
通信部１７は、電話回線網との接続を行うためのインターフェイスであり、テレビ会議用の画像データおよび音声データの送受信を行う。スピーカ１８は、通信部１７で受信した音声データを出力する。
【００８１】
第１動作例は、出力音量調整を行う場合を例としている。表示システム２００は、リモコン１と表示装置８とテレビ会議システム用の情報処理装置１３とで構成され、本実施形態では１つのリモコンと１台の表示装置Ａと１台の情報処理装置Ｄとで構成されている。表示装置Ａの音量の現在の設定値は「２」であり、情報処理装置Ｄの現在の設定値は「１」である。
【００８２】
まず、リモコン１がユーザによって操作され、リモコン１から表示装置Ａに対して出力音量の設定値を現在値から１単位大きくするコマンド（コマンド１）を送信する。表示装置Ａは、コマンド１を受信し、その内容に従って出力音量の設定値を現在値の「２」から１単位大きくして「３」に変更するとともに、処理テーブルの記述に基づいて、情報処理装置Ｄの設定値の変更内容を含むコマンド（コマンド２）を作成してリモコン１へと送信する。図９に示した例では、表示装置Ａから送信されるコマンド２には、情報処理装置Ｄの設定値の変更内容が含まれている。また、変更内容は、出力音量の設定値を現在値から１単位大きくするというものである。
【００８３】
リモコン１は、表示装置Ａからコマンド２を受信すると、その内容に従って情報処理装置Ｄに対して、出力音量の設定値を現在値から１単位大きくするコマンド３を送信する。情報処理装置Ｄは、コマンド３を受信すると、その内容に従って出力音量の設定値を「２」に設定する。
【００８４】
コマンド３は、リモコン１がユーザによって操作されなくても表示装置Ａからコマンド１を受信したことを条件として送信される。したがって、表示装置Ａおよび情報処理装置Ｄについて出力音量を変更するためにリモコン１を操作する回数は、最初の１回だけで済むことになる。さらに、情報処理装置Ｄの変更内容は、表示システム全体としての統一感が保持されるように、表示装置Ａによって決定される。第１動作例では、情報処理装置Ｄの現在値からの変更値が、表示装置Ａの現在値からの変更値と同じとなるように決定される。
【００８５】
なお、出力音量については、システム全体の統一感を保持するために、全ての表示装置を同じ設定値とする必要はない。たとえば、システム全体の統一感を保持するために、表示装置の配置位置に応じて設定値をそれぞれ異なる値としてもよい。また、第１、第２動作例の輝度についても、全ての表示装置を同じ設定値とすることは一例であって、常に同じ設定値とする必要はない。設定値をどのような値にするかは、あくまでもシステム全体の統一感を保持する、またはシステムが表示しようとする画像の表示態様に適するような値にすればよい。
【００８６】
以下では、本発明の表示ステムにおいて、各装置が作成するコマンドについて詳細に説明する。
【００８７】
図１２は、各装置の機能５１と、その機能を示す機能コード５２との対応関係表５０を示す図である。
【００８８】
音量ＯＦＦに対応する機能コードは、「VOL_OFF」であり、音量ＯＮに対応する機能コードは、「VOL_ON」であり、音量を1単位上げるに対応する機能コードは、「VOL_UP」であり、音量を1単位下げるに対応する機能コードは、「VOL_DOWN」であり、音量設定値最小（設定値１）に対応する機能コードは、「VOL_01」であり、音量設定値小（設定値２）に対応する機能コードは、「VOL_02」であり、音量設定値大（設定値３）に対応する機能コードは、「VOL_03」であり、音量設定値最大（設定値４）に対応する機能コードは、「VOL_04」である。
【００８９】
バックライトＯＦＦに対応する機能コードは、「BACKLIGHT_OFF」であり、バックライトONに対応する機能コードは、「BACKLIGHT_ON」であり、輝度を１単位上げるに対応する機能コードは、「LIGHT_UP」であり、輝度を１単位下げるに対応する機能コードは、「LIGHT_DOWN」であり、輝度設定値最小（設定値１）に対応する機能コードは、「LIGHT_01」であり、輝度設定値小（設定値２）に対応する機能コードは、「LIGHT_02」であり、輝度設定値大（設定値３）に対応する機能コードは、「LIGHT_03」であり、輝度設定値最大（設定値４）に対応する機能コードは、「LIGHT_04」であり、以降の処理終了に対応する機能コードは、「End」である。
【００９０】
図１３は、各装置名６１と、その装置を示す機器コード６２との対応関係表６０を示す図である。
【００９１】
リモコンを示す機器コードは、「DEV_REMOCON」であり、表示装置Ａを示す機器コードは、「DEV_A」であり、表示装置Ｂを示す機器コードは、「DEV_B」であり、表示装置Ｃを示す機器コードは、「DEV_C」であり、情報処理装置Ｄを示す機器コードは、「DEV_D」であり、対象装置なしを示す機器コードは、「NONE」である。
【００９２】
各装置は、これらの機能コードと機器コードとを用いて、予め定めるフォーマットに応じてコマンドを作成する。
【００９３】
図１４は、処理テーブルフォーマット２０およびコマンドフォーマット３０を示す図である。図１４（ａ）は、処理テーブルフォーマット２０を示し、図１４（ｂ）は、コマンドフォーマット３０を示す。
【００９４】
処理テーブルフォーマット２０は、リモコン１、表示装置８および情報処理装置１３が、それぞれ他装置からコマンドを受信したときに実行する動作の条件を定めるための処理テーブルの記述書式である。処理テーブルフォーマット２０は、受信機能コード２１、送信機能コード２２、第１連動機器コード２３および第２連動機器コード２４などを含む。
【００９５】
受信機能コード２１は、設定値の変更内容を示すコードであり、自装置を対象とするコマンドに記述された機能コードと対応する。処理テーブルは、受信機能コード２１ごとに、処理テーブルフォーマット２０に基づいて、送信機能コード２２、第１連動機器コード２３および第２連動機器コード２４などが記述される。送信機能コード２２は、設定値の変更内容を示すコードであり、新たに作成するコマンドにおいて、設定値の変更内容を示すコードである。
【００９６】
第１連動機器コード２３および第２連動機器コード２４は、新たに作成するコマンドにおいて、同じ変更内容で動作させる装置を特定するためのコードである。
【００９７】
コマンドフォーマット３０は、リモコン１、表示装置８および情報処理装置１３が、それぞれ他装置からコマンドを受信したときに、処理テーブルを参照し、他装置へ送信するために作成するコマンドの記述書式である。コマンドフォーマット３０は、開始コード３１、第１送信先機器コード３２、第２送信先機器コード３３、送信機能コード３４、第１次機器コード３５、第２次機器コード３６および終了コード３７などを含む。
【００９８】
開始コード３１は、コマンドの開始位置を示すコードであり、コマンドを受信した装置は、開始コード３１以降の記述に従って自装置の設定値の変更および他装置へのコマンド作成、送信を行う。第１送信先機器コード３２および第２送信先機器コード３３は、コマンドの送信先の機器、すなわち本コマンドの対象となる機器を特定するためのコードである。機器コードは、たとえば図１３に示したように、表示システム１００，２００を構成する装置に対して対応付けられたコードである。コマンドを受信した装置は、コマンドに記述された送信先機器コードと自装置の機器コードとを比較して、受信したコマンドの対象が自装置であるかどうかを判断する。なお、図１４に示した例では２つの送信先機器コードが記述されているが、送信先機器コードは本例に限定されるものではなく、最大数としては、表示システムを構成する装置のうち自装置以外の他の全ての装置の数である。
【００９９】
送信機能コード３４は、コマンドの送信先の機器に対する具体的な設定値の変更内容を示すコードである。機能コードは、たとえば図１２に示したように、装置の機能に対して対応付けられたコードであって、コマンドを受信した装置は、送信機能コードに応じて設定値の変更などを行う。第１次機器コード３５および第２次機器コード３６は、コマンドを受信した装置が新たにコマンドを作成したときの送信先とすべき装置を特定するためのコードである。
【０１００】
終了コード３７は、コマンドの終了位置を示すコードであり、終了コード３７を読み出した時点で、自装置の設定値変更、新たなコマンドの作成を開始する。
【０１０１】
図１５は、表示システム１００の第１動作例における処理テーブルおよびコマンドの具体例を示す図である。
【０１０２】
図１５（ａ）は、表示装置Ａの記憶部１０に記憶される処理テーブル２０ａを示し、図１５（ｂ）は、表示装置Ｂおよび表示装置Ｃの記憶部１０に記憶される処理テーブル２０ｂを示す。図１５（ｃ）は、リモコン１から表示装置Ａへ送信されるコマンド１の記述例を示すコマンド３０ａであり、図１５（ｄ）は、表示装置Ａからリモコン１へ送信されるコマンド２の記述例を示すコマンド３０ｂであり、図１５（ｅ）は、リモコン１から表示装置Ｂおよび表示装置Ｃへ送信されるコマンド３の記述例を示すコマンド３０ｃである。
【０１０３】
第１動作例は、まず、リモコン１がユーザによって操作されると、コマンド３０ａが作成される。コマンド３０ａの記述内容は、開始コード３１のあとに第１送信先機器コード３２として表示装置Ａを示す「DEV_A」が記述される。送信機能コード３４には、設定値を現在値から１単位大きくする機能として「LIGHT_UP」が記述される。第１次機器コード３５には、新たなコマンドの対象となる装置がないものとして「NONE」が記述される。
【０１０４】
リモコン１がコマンド３０ａを送信し、表示装置Ａがコマンド３０ａを受信すると、コマンド３０ａの送信先機器コードと自装置の機器コードとを比較する。コマンド３０ａの記述によれば、第１送信先機器コード３２として「DEV_A」が記述されており、自装置の機器コードと一致するので、送信機能コード３４に記述された「LIGHT_UP」を取得して処理テーブルの受信機能コードから「LIGHT_UP」を検索する。
【０１０５】
検索結果として処理テーブル２０ａが見つかると、受信機能コード２１「LIGHT_UP」に対応する送信機能コード２２および連動機器コード２３をそれぞれ処理テーブル２０ａから読み出す。送信機能コード２２には「LIGHT_0」が記述されている。ここで「LIGHT_0」は、受信機能コード２１に基づいて自装置の輝度設定値を変更した変更後の値に、他の装置の輝度設定値を合わせる機能を示しており、具体的には新たに作成するコマンドにおいて、送信機能コード３４に変更後の輝度設定値を記述する。また、第１連動機器コード２３および第２連動機器コード２４には、それぞれ「DEV_B」および「DEV_C」が記述されているので。新たに作成するコマンドにおいて、第１次機器コード３５および第２次機器コード３６には、それぞれ「DEV_B」および「DEV_C」を記述する。
【０１０６】
表示装置Ａは、受信機能コード２１「LIGHT_UP」に基づいて、自装置の現在の設定値を１単位大きくして「２」とする。また、処理テーブル２０ａに基づき、コマンド２として新たなコマンド３０ｂを作成する。コマンド３０ｂの記述内容は、開始コード３１のあとに第１送信先機器コード３２としてリモコンを示す「DEV_REMOCON」が記述される。送信機能コード３４には、輝度設定値を、変更後の輝度設定値「２」とする機能として「LIGHT_02」が記述される。
【０１０７】
第１次機器コード３５および第２次機器コード３６には、それぞれ第１連動機器コード２３および第２連動機器コード２４に記述されていた、「DEV_B」および「DEV_C」が記述される。最後に終了コード３７を記述する。
【０１０８】
表示装置Ａは、このようにして作成したコマンド３０ｂを送信する。リモコン１は、コマンド３０ｂを受信すると、第１送信先機器コード３２が「DEV_REMOCON」であるので、コマンド３０ｂの内容に基づき、コマンド３としてコマンド３０ｃを作成する。リモコン１は、処理テーブルは必要とせず、受信したコマンドに応じて新たなコマンドを作成し、作成したコマンドを送信する。
【０１０９】
コマンド３０ｃは、コマンド３０ｂの次機器コード３５，３６に記述されていた「DEV_B」および「DEV_C」を、送信先機器コード３２，３３として記述し、コマンド３０ｂの送信機能コード３４に記述されていた「LIGHT_02」を、コマンド３０ｃ送信機能コード３４としてそのまま記述する。次機器コード３５には、新たなコマンドの対象となる装置がないものとして「NONE」が記述される。
【０１１０】
新たに作成されたコマンド３０ｃは、リモコン１から送信される。表示装置Ｂおよび表示装置Ｃは、コマンド３０ｃを受信すると、第１送信先機器コード３２および第２送信先機器コード３３が「DEV_B」および「DEV_C」であるので、コマンド３０ｃの内容に基づいて、設定値の変更などを行う。
【０１１１】
送信機能コード３４に「LIGHT_02」が記述されているので、表示装置Ｂおよび表示装置Ｃは、送信機能コードに基づいて画面輝度の設定値を「２」に設定する。
【０１１２】
以上のように、表示システムを構成する各装置は、処理テーブルおよび受信したコマンドに基づいて新たなコマンドを作成し、これを送信することで表示システム全体の設定値の変更を少ない操作で、行うことができる。
【０１１３】
図１６は、表示システム１００の第２動作例における処理テーブルおよびコマンドの具体例を示す図である。
【０１１４】
図１６（ａ）は、表示装置Ａの記憶部１０に記憶される処理テーブル２０ａを示し、図１６（ｂ）は、表示装置Ｂの記憶部１０に記憶される処理テーブル２０ｂを示し、１６（ｃ）は、表示装置Ｃの記憶部１０に記憶される処理テーブル２０ｂを示す。図１６（ｄ）は、リモコン１から表示装置Ａへ送信されるコマンド１の記述例を示すコマンド３０ａであり、図１６（ｅ）は、表示装置Ａからリモコン１へ送信されるコマンド２の記述例を示すコマンド３０ｂであり、図１６（ｆ）は、リモコン１から表示装置Ｂへ送信されるコマンド３の記述例を示すコマンド３０ｃであり、図１６（ｇ）は、表示装置Ｂからリモコン１へ送信されるコマンド４の記述例を示すコマンド３０ｄであり、図１６（ｈ）は、リモコン１から表示装置Ｃへ送信されるコマンド５の記述例を示すコマンド３０ｅである。
【０１１５】
第２動作例は、まず、リモコン１がユーザによって操作されると、コマンド３０ａが作成される。コマンド３０ａの記述内容は、開始コード３１のあとに第１送信先機器コード３２として表示装置Ａを示す「DEV_A」が記述される。送信機能コード３４には、設定値を現在値から１単位大きくする機能として「LIGHT_UP」が記述される。第１次機器コード３５には、新たなコマンドの対象となる装置がないものとして「NONE」が記述される。
【０１１６】
リモコン１がコマンド３０ａを送信し、表示装置Ａがコマンド３０ａを受信すると、コマンド３０ａの送信先機器コードと自装置の機器コードとを比較する。コマンド３０ａの記述によれば、第１送信先機器コード３２として「DEV_A」が記述されており、自装置の機器コードと一致するので、送信機能コード３４に記述された「LIGHT_UP」を取得して処理テーブルの受信機能コードから「LIGHT_UP」を検索する。
【０１１７】
検索結果として処理テーブル２０ａが見つかると、受信機能コード２１「LIGHT_UP」に対応する送信機能コード２２および連動機器コード２３をそれぞれ処理テーブル２０ａから読み出す。送信機能コード２２には「LIGHT_0」が記述されているので、新たに作成するコマンドにおいて、送信機能コード３４に変更後の輝度設定値を記述する。また、第１連動機器コード２３には、「DEV_B」が記述されているので。新たに作成するコマンドにおいて、第１次機器コード３５には、「DEV_B」を記述する。
【０１１８】
表示装置Ａは、受信機能コード２１「LIGHT_UP」に基づいて、自装置の現在の設定値を１単位大きくして「２」とする。また、処理テーブル２０ａに基づき、コマンド２として新たなコマンド３０ｂを作成する。コマンド３０ｂの記述内容は、開始コード３１のあとに第１送信先機器コード３２としてリモコンを示す「DEV_REMOCON」が記述される。送信機能コード３４には、輝度設定値を、変更後の輝度設定値「２」とする機能として「LIGHT_02」が記述される。
【０１１９】
第１次機器コード３５には、第１連動機器コード２３に記述されていた、「DEV_B」が記述される。最後に終了コード３７を記述する。
【０１２０】
表示装置Ａは、このようにして作成したコマンド３０ｂを送信する。リモコン１は、コマンド３０ｂを受信すると、第１送信先機器コード３２が「DEV_REMOCON」であるので、コマンド３０ｂの内容に基づき、コマンド３としてコマンド３０ｃを作成する。リモコン１は、処理テーブルは必要とせず、受信したコマンドに応じて新たなコマンドを作成し、作成したコマンドを送信する。
【０１２１】
コマンド３０ｃは、コマンド３０ｂの第１次機器コード３５に記述されていた「DEV_B」を、送信先機器コード３２として記述し、コマンド３０ｂの送信機能コード３４に記述されていた「LIGHT_02」を、コマンド３０ｃの送信機能コード３４としてそのまま記述する。次機器コード３５には、新たなコマンドの対象となる装置がないものとして「NONE」が記述される。
【０１２２】
新たに作成されたコマンド３０ｃは、リモコン１から送信される。表示装置Ｂは、コマンド３０ｃを受信すると、第１送信先機器コード３２が「DEV_B」であるので、コマンド３０ｃの内容に基づいて、設定値の変更などを行う。
【０１２３】
送信機能コード３４に「LIGHT_02」が記述されているので、表示装置Ｂは、送信機能コードに基づいて画面輝度の設定値を「２」に設定するとともに、処理テーブルの受信機能コードから「LIGHT_02」を検索する。
【０１２４】
検索結果として処理テーブル２０ｂが見つかると、受信機能コード２１「LIGHT_02」に対応する送信機能コード２２および連動機器コード２３をそれぞれ処理テーブル２０ｂから読み出す。送信機能コード２２には「LIGHT_02」が記述されているので、新たに作成するコマンドにおいて、送信機能コード３４に輝度設定値を「２」に設定するための機能コード「LIGHT_02」を記述する。また、第１連動機器コード２３には、「DEV_C」が記述されているので、新たに作成するコマンドにおいて、第１次機器コード３５には、「DEV_C」を記述する。
【０１２５】
表示装置Ｂは、受信機能コード２１「LIGHT_02」に基づいて、自装置の現在の設定値を「２」とする。また、処理テーブル２０ｂに基づき、コマンド３として新たなコマンド３０ｃを作成する。コマンド３０ｄの記述内容は、開始コード３１のあとに第１送信先機器コード３２としてリモコンを示す「DEV_REMOCON」が記述される。送信機能コード３４には、輝度設定値を、変更後の輝度設定値「２」とする機能として「LIGHT_02」が記述される。第１次機器コード３５には、第１連動機器コード２３に記述されていた、「DEV_C」が記述される。最後に終了コード３７を記述する。
【０１２６】
表示装置Ｂは、このようにして作成したコマンド３０ｄを送信する。リモコン１は、コマンド３０ｄを受信すると、第１送信先機器コード３２が「DEV_REMOCON」であるので、コマンド３０ｄの内容に基づき、コマンド５としてコマンド３０ｅを作成する。リモコン１は、処理テーブルは必要とせず、受信したコマンドに応じて新たなコマンドを作成し、作成したコマンドを送信する。
【０１２７】
コマンド３０ｅは、コマンド３０ｄの第１次機器コード３５に記述されていた「DEV_C」を、送信先機器コード３２として記述し、コマンド３０ｄの送信機能コード３４に記述されていた「LIGHT_02」を、コマンド３０ｄの送信機能コード３４としてそのまま記述する。次機器コード３５には、「NONE」が記述される。
【０１２８】
新たに作成されたコマンド３０ｅは、リモコン１から送信される。表示装置Ｃは、コマンド３０ｅを受信すると、第１送信先機器コード３２が「DEV_C」であるので、コマンド３０ｆの内容に基づいて、設定値の変更などを行う。
【０１２９】
送信機能コード３４に「LIGHT_02」が記述されているので、表示装置Ｂは、送信機能コードに基づいて画面輝度の設定値を「２」に設定するとともに、処理テーブルの受信機能コードから「LIGHT_02」を検索する。
【０１３０】
検索結果として処理テーブル２０ｃが見つかると、受信機能コード２１「LIGHT_02」に対応する送信機能コード２２および連動機器コード２３をそれぞれ処理テーブル２０ｃから読み出す。送信機能コード２２には「END」が記述されているので、新たにコマンドは作成しない。
【０１３１】
図１７は、表示システム１００の第３動作例における処理テーブルおよびコマンドの具体例を示す図である。
【０１３２】
図１７（ａ）は、表示装置Ａの記憶部１０に記憶される処理テーブル２０ａを示し、図１７（ｂ）は、表示装置Ｃの記憶部１０に記憶される処理テーブル２０ｂを示す。図１７（ｃ）は、リモコン１から表示装置Ａへ送信されるコマンド１の記述例を示すコマンド３０ａであり、図１７（ｄ）は、表示装置Ａからリモコン１へ送信されるコマンド２の記述例を示すコマンド３０ｂであり、図１７（ｅ）は、リモコン１から表示装置Ｃへ送信されるコマンド３の記述例を示すコマンド３０ｃである。
【０１３３】
第３動作例は、まず、リモコン１がユーザによって操作されると、コマンド３０ａが作成される。コマンド３０ａの記述内容は、開始コード３１のあとに第１送信先機器コード３２として表示装置Ａを示す「DEV_A」が記述される。送信機能コード３４には、設定値を現在値から１単位大きくする機能として「VOL_UP」が記述される。第１次機器コード３５には、新たなコマンドの対象となる装置がないものとして「NONE」が記述される。
【０１３４】
リモコン１がコマンド３０ａを送信し、表示装置Ａがコマンド３０ａを受信すると、コマンド３０ａの送信先機器コードと自装置の機器コードとを比較する。コマンド３０ａの記述によれば、第１送信先機器コード３２として「DEV_A」が記述されており、自装置の機器コードと一致するので、送信機能コード３４に記述された「VOL_UP」を取得して処理テーブルの受信機能コードから「VOL_UP」を検索する。
【０１３５】
検索結果として処理テーブル２０ａが見つかると、受信機能コード２１「VOL_UP」に対応する送信機能コード２２および連動機器コード２３をそれぞれ処理テーブル２０ａから読み出す。送信機能コード２２には「VOL_0」が記述されている。ここで「VOL_0」は、受信機能コード２１に基づいて自装置の音量設定値を変更した変更後の値に、他の装置の音量設定値を合わせる機能を示しており、具体的には新たに作成するコマンドにおいて、送信機能コード３４に変更後の音量設定値を記述する。また、第１連動機器コード２３には、「DEV_C」が記述されているので、新たに作成するコマンドにおいて、第１次機器コード３５には、「DEV_C」を記述する。
【０１３６】
表示装置Ａは、受信機能コード２１「VOL_UP」に基づいて、自装置の現在の設定値を１単位大きくして「３」とする。また、処理テーブル２０ａに基づき、コマンド２として新たなコマンド３０ｂを作成する。コマンド３０ｂの記述内容は、開始コード３１のあとに第１送信先機器コード３２としてリモコンを示す「DEV_REMOCON」が記述される。送信機能コード３４には、音量設定値を、現在の設定値より１単位大きくする機能として「VOL_03」が記述される。
【０１３７】
第１次機器コード３５には、第１連動機器コード２３に記述されていた、「DEV_C」が記述される。最後に終了コード３７を記述する。
【０１３８】
表示装置Ａは、このようにして作成したコマンド３０ｂを送信する。リモコン１は、コマンド３０ｂを受信すると、第１送信先機器コード３２が「DEV_REMOCON」であるので、コマンド３０ｂの内容に基づき、コマンド３としてコマンド３０ｃを作成する。リモコン１は、処理テーブルは必要とせず、受信したコマンドに応じて新たなコマンドを作成し、作成したコマンドを送信する。
【０１３９】
コマンド３０ｃは、コマンド３０ｂの次機器コード３５に記述されていた「DEV_C」を、送信先機器コード３２として記述し、コマンド３０ｂの送信機能コード３４に記述されていた「VOL_03」を、コマンド３０ｃの送信機能コード３４としてそのまま記述する。次機器コード３５には、新たなコマンドの対象となる装置がないものとして「NONE」が記述される。
【０１４０】
新たに作成されたコマンド３０ｃは、リモコン１から送信される。表示装置Ｃは、コマンド３０ｃを受信すると、第１送信先機器コード３２が「DEV_C」であるので、コマンド３０ｃの内容に基づいて、設定値の変更などを行う。
【０１４１】
送信機能コード３４に「VOL_03」が記述されているので、表示装置Ｃは、送信機能コードに基づいて出力音量の設定値を「２」に設定する。送信機能コード２２には「END」が記述されているので、新たにコマンドは作成しない。
【０１４２】
図１８は、表示システム２００の第１動作例における処理テーブルおよびコマンドの具体例を示す図である。
【０１４３】
図１８（ａ）は、表示装置Ａの記憶部１０に記憶される処理テーブル２０ａを示し、図１８（ｂ）は、情報処理装置Ｄの記憶部１５に記憶される処理テーブル２０ｂを示す。図１８（ｃ）は、リモコン１から表示装置Ａへ送信されるコマンド１の記述例を示すコマンド３０ａであり、図１８（ｄ）は、表示装置Ａからリモコン１へ送信されるコマンド２の記述例を示すコマンド３０ｂであり、図１８（ｅ）は、リモコン１から情報処理装置Ｄへ送信されるコマンド３の記述例を示すコマンド３０ｃである。
【０１４４】
第１動作例は、まず、リモコン１がユーザによって操作されると、コマンド３０ａが作成される。コマンド３０ａの記述内容は、開始コード３１のあとに第１送信先機器コード３２として表示装置Ａを示す「DEV_A」が記述される。送信機能コード３４には、設定値を現在値から１単位大きくする機能として「VOL_UP」が記述される。第１次機器コード３５には、新たなコマンドの対象となる装置がないものとして「NONE」が記述される。
【０１４５】
リモコン１がコマンド３０ａを送信し、表示装置Ａがコマンド３０ａを受信すると、コマンド３０ａの送信先機器コードと自装置の機器コードとを比較する。コマンド３０ａの記述によれば、第１送信先機器コード３２として「DEV_A」が記述されており、自装置の機器コードと一致するので、送信機能コード３４に記述された「VOL_UP」を取得して処理テーブルの受信機能コードから「VOL_UP」を検索する。
【０１４６】
検索結果として処理テーブル２０ａが見つかると、受信機能コード２１「VOL_UP」に対応する送信機能コード２２および連動機器コード２３をそれぞれ処理テーブル２０ａから読み出す。送信機能コード２２には「VOL_UP」が記述されているので、新たに作成するコマンドにおいて、送信機能コード３４には、同じく「VOL_UP」を記述する。また、第１連動機器コード２３には、「DEV_D」が記述されているので、新たに作成するコマンドにおいて、第１次機器コード３５には、「DEV_D」を記述する。
【０１４７】
表示装置Ａは、受信機能コード２１「VOL_UP」に基づいて、自装置の現在の設定値を１単位大きくして「３」とする。また、処理テーブル２０ａに基づき、コマンド２として新たなコマンド３０ｂを作成する。コマンド３０ｂの記述内容は、開始コード３１のあとに第１送信先機器コード３２としてリモコンを示す「DEV_REMOCON」が記述される。送信機能コード３４には、音量設定値を、現在の設定値より１単位大きくする機能として「VOL_UP」が記述される。
【０１４８】
第１次機器コード３５には、第１連動機器コード２３に記述されていた、「DEV_D」が記述される。最後に終了コード３７を記述する。
【０１４９】
表示装置Ａは、このようにして作成したコマンド３０ｂを送信する。リモコン１は、コマンド３０ｂを受信すると、第１送信先機器コード３２が「DEV_REMOCON」であるので、コマンド３０ｂの内容に基づき、コマンド３としてコマンド３０ｃを作成する。リモコン１は、処理テーブルは必要とせず、受信したコマンドに応じて新たなコマンドを作成し、作成したコマンドを送信する。
【０１５０】
コマンド３０ｃは、コマンド３０ｂの次機器コード３５に記述されていた「DEV_D」を、送信先機器コード３２として記述し、コマンド３０ｂの送信機能コード３４に記述されていた「VOL_UP」を、コマンド３０ｃの送信機能コード３４としてそのまま記述する。次機器コード３５には、新たなコマンドの対象となる装置がないものとして「NONE」が記述される。
【０１５１】
新たに作成されたコマンド３０ｃは、リモコン１から送信される。情報処理装置Ｄは、コマンド３０ｃを受信すると、第１送信先機器コード３２が「DEV_D」であるので、コマンド３０ｃの内容に基づいて、設定値の変更などを行う。
【０１５２】
送信機能コード３４に「VOL_03」が記述されているので、情報処理装置Ｄは、送信機能コードに基づいて出力音量の設定値を「２」に設定する。送信機能コード２２には「END」が記述されているので、新たにコマンドは作成しない。
【０１５３】
図１９は、リモコン１の設定値変更処理を示すフローチャートである。
ステップＳ１では、設定値の変更を指示するキーが押されたかどうかを判断する。たとえば、音量を変更する音量ＯＮキー２ｂ、音量ＯＦＦキー２ｃ、音量大キー２ｄ、音量小キー２ｅ、画面輝度の設定値を変更する輝度大キー２ｆ、輝度小キー２ｇ、バックライトの点灯、消灯を変更するバックライトＯＮキー２ｈ、バックライトＯＦＦキー２ｉなどのキーが押されれば、設定値の変更を指示するキーが押されたものと判断する。
【０１５４】
押されたと判断すればステップＳ２に進み、押されていなければステップＳ８に進む。ステップＳ２では、コマンド生成プログラムに基づいて、コマンド生成部３ｃが、開始コードをセットしてコマンド作成を開始する。ステップＳ３では、送信先機器コードに表示装置Ａをセットする。ステップＳ４では、送信機能コードとして、ステップＳ１で押されたと判断したキーの内容に対応する機能コードをセットする。ステップＳ５では、次機器コードとして「NONE」をセットする。ステップＳ６では、終了コードをセットしてステップＳ７で、無線通信部５の送信部５ｂがコマンドを送信する。
【０１５５】
ステップＳ８では、コマンド受信監視部３ａが、無線通信部５の受信部５ａによって他の装置から送信されたコマンドを受信したかどうかを判断する。コマンドを受信していればステップＳ９に進み、受信していなければステップＳ１に戻る。ステップＳ９では、機器コード抽出処理プログラム４ｃに基づいて、コマンド判断部３ｂが、受信したコマンドから送信先機器コードを抽出し、ステップＳ１０では、機能コード抽出処理プログラム４ｂに基づいて、コマンド判断部３ｂが、受信したコマンドから機能コードを抽出し、ステップＳ１１では、機器コード抽出処理プログラム４ｃに基づいて、コマンド判断部３ｂが、受信したコマンドから次機器コードを抽出する。
【０１５６】
ステップＳ１２では、抽出した送信先機器コードが「DEV_REMOCON」であるかどうかを判断し、「DEV_REMOCON」であればステップＳ１３に進み、「DEV_REMOCON」でなければステップＳ１に戻る。ステップＳ１３では、コマンド生成部３ｃが、開始コードをセットしてコマンド作成を開始する。ステップＳ１４では、抽出した次機器コードが「NONE」かどうかを判断し、「NONE」でなければステップＳ１５に進み、「NONE」であればステップＳ１戻る。ステップＳ１５では、抽出した次機器コードを送信先機器コードにセットする。ステップＳ１６では、抽出した次機器コードが「END」であるかどうかを判断し、「END」でなければステップＳ１７に進み、「END」であればステップＳ１に戻る。
【０１５７】
ステップＳ１７では、抽出した機能コードを送信機能コードとしてセットする。ステップＳ１８では、次機器コードとして「NONE」をセットする。ステップＳ１９では、終了コードをセットしてステップＳ７に進み、無線通信部５の送信部５ｂがコマンドを送信する。
【０１５８】
図２０Ａおよび図２０Ｂは、表示装置８の設定値変更処理を示すフローチャートである。ステップＳ２１では、コマンド受信監視部９ａが、リモコン１からコマンドを受信したかどうかを判断し、受信していればステップＳ２２に進み、受信していなければ待機する。ステップＳ２２では、送信先機器コード抽出部９ｉが、受信したコマンドから送信先機器コードを抽出する。ステップＳ２３では、機器コード比較部９ｆが、自装置の機器コードを取得し、ステップＳ２４で、自装置の機器コードが、抽出された送信先機器コードに含まれているかどうかを判断する。含まれていればステップＳ２５に進み、含まれていなければステップＳ２１に戻る。ステップＳ２５では、送信機能コード抽出判断部９ｈが、受信したコマンドから送信機能コードを抽出し、ステップＳ２６で、抽出した送信機能コードが「END」かどうかを判断し、「END」でなければステップＳ２７に進み、「END」であればステップＳ１に戻る。
【０１５９】
ステップＳ２７では、抽出された機能コードに基づいて設定値の変更処理などを実行する。ステップＳ２８では、コマンド生成部９ｃが、受信したコマンドから次機器コードを抽出する。ステップＳ２９では、開始コードをセットしてコマンド作成を開始する。ステップＳ３０では、送信先機器コードとして「DEV_REMOCON」をセットする。ステップＳ３１では、抽出された次機器コードが「NONE」であるかどうかを判断し、「NONE」であればステップＳ３２に進み、「NONE」でなければステップＳ４８に進む。
【０１６０】
ステップＳ３２では、機能コード分析部９ｇが、処理テーブル１０ｂを呼び出して参照し、ステップＳ３３では、抽出した送信機能コードが処理テーブル中で受信機能コードとなっているものを検索する。ステップＳ３４では、検索によって得られた受信機能コードに対応する送信機能コードを抽出する。ステップＳ３５では、抽出された送信機能コードが「END」であるかどうかを判断する。「END」であればステップＳ２１に戻り、「END」でなければステップＳ３６に進む。ステップＳ３６では、コマンドから連動機器コードを抽出し、ステップＳ３７では、連動機器コードが「NONE」であるかどうかを判断し、「NONE」であればステップＳ２１に戻り、「NONE」でなければステップＳ３８に進む。ステップＳ３８では、抽出された送信機能コードが「LIGHT_0」であるかどうかを判断する。「LIGHT_0」であればステップＳ３９に進み、「LIGHT_0」でなければステップＳ４４に進む。ステップＳ３９では、輝度値取得部９ｄが、現在の画面輝度の設定値を取得する。ステップＳ４０では、コマンド生成部９ｃが、取得した輝度値に対応する機能コードを、送信機能コードとしてセットする。ステップＳ４１では、抽出された連動機器コードを次機器コードとしてセットする。ステップＳ４２で、終了コードをセットし、ステップＳ４３で送信部１２ｂが、リモコン１へコマンドを送信する。
【０１６１】
ステップＳ４４では、抽出された送信機能コードが「VOL_0」であるかどうかを判断する。「VOL_0」であればステップＳ４５に進み、「VOL_0」でなければステップＳ４７に進む。ステップＳ４５では、音量値取得部９ｅが、現在の出力音量の設定値を取得する。ステップＳ４６では、コマンド生成部９ｃが、取得した音量値に対応する機能コードを、送信機能コードとしてセットして、ステップＳ４１に進む。ステップＳ４７では、抽出された送信機能コードを、リモコン１への送信機能コードとしてセットして、ステップＳ４１に進む。
【０１６２】
上記では、リモコン１として無線通信によりコマンドの送受信を行う構成について説明したが、これに限らず有線通信によりコマンドの送受信を行う構成であってもよい。
【０１６３】
有線通信を用いる場合の表示システムの構成は、リモコン１の無線通信部５、表示装置８の無線通信部１２および情報処理装置１３の無線通信部１６を、それぞれ有線通信部に置き換えるだけでよく、他の構成は既に説明したリモコン１、表示装置８、情報処理装置１３と共通である。有線通信部は、使用する通信方式によって適宜選択すればよく、インターネットプロトコルで接続する場合は、ＬＡＮ（Local Area Network）ケーブルによって各装置が接続され、有線通信部としてＬＡＮインターフェイスを用いる。ＲＳ−２３２Ｃ規格の通信ケーブルを用いて接続する場合は、有線通信部としてＲＳ−２３２Ｃインターフェイスを用いる。
【符号の説明】
【０１６４】
１  リモートコントローラ
２  キーボード部
３，９  制御部
４，１０  記憶部
５，１２  無線通信部
６  電源
７  時計部
８  表示装置
１１  表示部
１００，２００  表示システム
【図１】
2012023467.tif 000003
【図２】
2012023467.tif 000004
【図３】
2012023467.tif 000005
【図４】
2012023467.tif 000006
【図５】
2012023467.tif 000007
【図６】
2012023467.tif 000008
【図７】
2012023467.tif 000009
【図８】
2012023467.tif 000010
【図９】
2012023467.tif 000011
【図１０】
2012023467.tif 000012
【図１１】
2012023467.tif 000013
【図１２】
2012023467.tif 000014
【図１３】
2012023467.tif 000015
【図１４】
2012023467.tif 000016
【図１５】
2012023467.tif 000017
【図１６】
2012023467.tif 000018
【図１７】
2012023467.tif 000019
【図１８】
2012023467.tif 000020
【図１９】
2012023467.tif 000021
【図２０Ａ】
2012023467.tif 000022
【図２０Ｂ】
2012023467.tif 000023